(57)【特許請求の範囲】
【請求項１】
建物本体1のほぼ中央部に、１階床から２階天井まで吹き抜ける吹抜け空間2が設けられた建物において、
前記建物本体1は、１階に、平面視ほぼ矩形状に形成された矩形スペースを備えており、
前記矩形スペースの中央部に、平面視において当該矩形スペースを横切るようにして前記吹抜け空間2が平面視矩形状に形成されており、
前記吹抜け空間2に、平面視において前記矩形スペースを横切るようにして、かつ１階床から２階床にかけて直階段11が設けられており、
前記１階の矩形スペースには、前記直階段11の一方の側部側にキッチン4および食堂5が、前記吹抜け空間2とは仕切られない状態で設けられ、他方の側部側に居室3が設けられ、前記直階段11の居室3側の側部には仕切壁10が前記直階段11に接して設けられるとともに、
前記仕切壁11の両横には開口部12,14がそれぞれ設けられ、これら開口部12,14を通して、前記キッチン4と居室3および前記食堂5と居室3がそれぞれ行き来可能とされており、
前記吹抜け空間2は前記建物本体1の外壁に接しており、かつこの外壁側の開口部12に前記直階段11の上り口が面しており、
前記直階段11の上り口が面している外壁には、前記建物本体1の２階において、前記吹抜け空間2に採光するための大窓25が設けられ、この大窓25は２階の居室20,21の上下の高さとほぼ等しい高さを有し、かつ前記吹抜け空間2の一辺の長さ全体に亙っており、これにより当該吹抜け空間2は、その２階部分において、一つの短辺が透明なガラス板により形成されており、
前記直階段11は、桁材を１階床と２階床とにかけ、蹴込板を備えない状態で複数の段板を桁材の長手方向に所定間隔で取り付けたものであり、
前記直階段11の前記仕切壁10が設けられる側部とは反対の側部に階段手摺11aが設けられ、当該階段手摺11aは、フレームで形成されたもので、前記段板の端部に立設された手摺子と、この手摺子の上端に取り付けられた棒状の手摺とで構成されており、
２階には、前記吹抜け空間2に面して、かつ前記直階段11の一方の側部側および他方の側部側のそれぞれに少なくとも居室20,21が設けられており、これら居室20,21と前記吹抜け空間2とが２階仕切壁22,23によって仕切られており、
前記２階仕切壁22,23の横には開口部が設けられ、この開口部を通して、前記直階段11の一方の側部側の居室20と他方の側部側の居室21とが行き来可能とされていることを特徴とする建物。

【発明の詳細な説明】
【技術分野】
【０００１】
本発明は、建物本体のほぼ中央部に吹抜け空間が設けられた建物に関する。
【背景技術】
【０００２】
吹抜け空間が設けられた建物の一例として特許文献１に記載のものが知られている。この建物では、建物の中央にリビングルームを配置し、このリビングルーム上方に上階の天井まで至る吹抜けを設け、前記リビングルームに、一方側の側面がリビングルーム側に面して開口した階段を配置し、この階段を、前記上階の吹抜け側を開口した部屋に接続している。
【先行技術文献】
【特許文献】
【０００３】
【特許文献１】特開２００２−１９４８９９号公報
【発明の概要】
【発明が解決しようとする課題】
【０００４】
ところで、上記のような建物では、階段の一方側の側面がリビングルーム側に面して開口し、他方側の側面は壁と接しているために、この壁の反対側にあるキッチンからリビングルームに移動するには壁を回り込む必要があり、行き来がしにくい場合がある。また、キッチンからリビングルーム側や階段側には声が届きにくい場合がある。
【０００５】
本発明は上記事情に鑑みてなされたもので、建物内を移動しやすくなるとともに、声が届きやすくなり、これによって住人同士のコミュニケーションが取りやすくなる建物を提供することを課題としている。
【課題を解決するための手段】
【０００６】
上記課題を解決するため、本願の発明は、建物本体1のほぼ中央部に、１階床から２階天井まで吹き抜ける吹抜け空間2が設けられた建物において、前記建物本体1は、１階に、平面視ほぼ矩形状に形成された矩形スペースを備えており、前記矩形スペースの中央部に、平面視において当該矩形スペースを横切るようにして前記吹抜け空間2が平面視矩形状に形成されており、前記吹抜け空間2に、平面視において前記矩形スペースを横切るようにして、かつ１階床から２階床にかけて直階段11が設けられており、前記１階の矩形スペースには、前記直階段11の一方の側部側にキッチン4および食堂5が、前記吹抜け空間2とは仕切られない状態で設けられ、他方の側部側に居室3が設けられ、前記直階段11の居室3側の側部には仕切壁10が前記直階段11に接して設けられるとともに、前記仕切壁11の両横には開口部12,14がそれぞれ設けられ、これら開口部12,14を通して、前記キッチン4と居室3および前記食堂5と居室3がそれぞれ行き来可能とされており、前記吹抜け空間2は前記建物本体1の外壁に接しており、かつこの外壁側の開口部12に前記直階段11の上り口が面しており、前記直階段11の上り口が面している外壁には、前記建物本体1の２階において、前記吹抜け空間2に採光するための大窓25が設けられ、この大窓25は２階の居室20,21の上下の高さとほぼ等しい高さを有し、かつ前記吹抜け空間2の一辺の長さ全体に亙っており、これにより当該吹抜け空間2は、その２階部分において、一つの短辺が透明なガラス板により形成されており、前記直階段11は、桁材を１階床と２階床とにかけ、蹴込板を備えない状態で複数の段板を桁材の長手方向に所定間隔で取り付けたものであり、前記直階段11の前記仕切壁10が設けられる側部とは反対の側部に階段手摺11aが設けられ、当該階段手摺11aは、フレームで形成されたもので、前記段板の端部に立設された手摺子と、この手摺子の上端に取り付けられた棒状の手摺とで構成されており、２階には、前記吹抜け空間2に面して、かつ前記直階段11の一方の側部側および他方の側部側のそれぞれに少なくとも居室20,21が設けられており、これら居室20,21と前記吹抜け空間2とが２階仕切壁22,23によって仕切られており、前記２階仕切壁22,23の横には開口部が設けられ、この開口部を通して、前記直階段11の一方の側部側の居室20と他方の側部側の居室21とが行き来可能とされていることを特徴とする。
【発明の効果】
【００１４】
本発明によれば、建物内を移動しやすくなるとともに、声が届きやすくなり、これによって住人同士のコミュニケーションが取りやすくなる。
しかも、大窓から吹抜け空間に採光した光で、階段、キッチン、調理台を明るくすることができる。
【図面の簡単な説明】
【００１５】
【図１】本発明に係る建物の一例を示すもので、建物の１階の平面図である。
【図２】同、建物の２階の平面図である。
【図３】同、建物の正面図である。
【図４】同、建物の西側の側面図である。
【発明を実施するための形態】
【００１６】
以下図面を参照して本発明の実施の形態について説明する。
本実施の形態の建物は２階建てのものである。この建物の１階には図１および図２に示すように、建物本体１のほぼ中央部には１階床から２階天井まで吹き抜ける吹抜け空間２が設けられている。吹抜け空間２は平面視において東西に長尺な長方形状のものであり、南北方向において建物本体１の中央部に設けられ、東西方向において略中央部で若干西側よりに設けられている。
【００１７】
建物本体１には、吹抜け空間２を南北に挟んで居室３とキッチン４とが設けられており、キッチン４の東側に隣接して食堂５が設けられている。キッチン４内の食堂５側には調理台６が設けられており、その上方は１階の天井まで空間となっている。したがって、キッチン４からは食堂５が見渡せるようになっている。
食堂５の東側に隣接して居室７が設けられている。この居室７と食堂５との間には３連の引戸８が設けられており、この引戸８を開けることによって、キッチン４から居室７を見渡せるようになっている。なお、引戸８は１階天井までの高さを有する大きなものである。
また、キッチン４および食堂５と、吹抜け空間２とは仕切られておらず、横方向に連続した空間となっている。
【００１８】
前記居室３はリビングとして使用される部屋であり、この居室３と吹抜け空間２との境界部には仕切壁１０が設けられている。この仕切壁１０の上端部は１階天井まで達している。また、前記吹抜け空間２には、１階床から２階床にかけて直階段１１が設けられている。この直階段の一方の側部には階段手摺１１ａが設けられており、他方の側部は前記仕切壁１０に接している。
直階段１１は鋼製の桁材を１階床と２階床とにかけ、この桁材に複数の段板を桁材の長手方向に所定間隔で取り付けたものであり、蹴込板は備えていない。階段手摺１１ａは、フレームで形成されたもので、段板の端部に立設された手摺子と、手摺子の上端に取り付けられた棒状の手摺とで構成されている。
【００１９】
また、前記仕切壁１０の西側の横には、吹抜け空間２と居室３とを行き来するための開口部１２が設けられている。また、仕切壁１０の東側の横には、食堂５と居室３との間に設けられた通路１３から居室３に出入りするための開口部１４が設けられている。
また、居室３の南側にある外壁には、掃出し窓１５が設けられており、この掃出し窓１５は仕切壁１０に対向している。掃出し窓１５は図３に示すように、１階の天井まで達する縦長の大きな引違い式の窓であり、居室３の南側の壁ほぼ全体に亙って設けられている。この掃出し窓１５の外側には、テラス１６が設けられている。
【００２０】
また、前記通路１３の東側に隣接して玄関ホール１７が設けられており、この玄関ホール１７の北側に隣接して前記居室７が設けられている。玄関ホール１７と通路１３とを仕切る壁にはドアが設けられており、玄関ホール１７と居室７とを仕切る壁にもドアが設けられている。したがって、この玄関ホール１７から通路１３と居室７との双方に行き来できるようになっている。
また、玄関ホール１７の奥側には洗面コーナ１８が設けられている。この洗面コーナ１８は、ドア等がないオープンな空間であり、洗面台が設置されている。また、洗面コーナ１８に対向してトイレ１９が設けられており、このトイレ１９には玄関ホール１７から出入りできるようになっている。
【００２１】
建物本体１の２階には、図２に示すように、前記吹抜け空間２に面して居室２０，２１が設けられている。居室２０は夫婦の寝室として使用され、居室２１は子供部屋として使用されるものであり、吹抜け空間２を挟んで南北に配置されている。
居室２０と吹抜け空間２とは２階仕切壁２２によって仕切られている。この２階仕切壁２２の上端部は２階天井まで達している。
また、居室２１と吹抜け空間２とは２階仕切壁２３によって仕切られている。この２階仕切壁２３の上端部は２階天井まで達している。
【００２２】
前記吹抜け空間２は建物本体１の西側の外壁に面しており、この外壁には２階において大窓２５が設けられている。この大窓２５は図４に示すように、居室２０，２１の上下の高さとほぼ等しい縦長の窓であり、吹抜け空間２の南北方向の長さ全体に亙って設けられている。
したがって、平面視長方形状の吹抜け空間２は、その２階部分において、一つの短辺が透明なガラス板によって形成されている。
【００２３】
また、前記居室２０の東側に隣接して大型のウォークインクローゼット２６が設けられており、このウォークインクローゼット２６の東側に隣接してバルコニー２７が設けられている。ウォークインクローゼット２６には、衣類を収納する収納部２６ａと、衣類を畳んだり、衣類にアイロンかけを行うための家事カウンター２６ｂとが設けられている。このようなウォークインクローゼット２６には居室２０およびバルコニー２７の双方から出入りできるようになっている。
また、バルコニー２７の北側に隣接して洗面室２８が設けられており、この洗面室２８の北側に浴室２９がこの浴室２９の西側にトイレ３０が設けられている。また、洗面室２８には洗濯機置場２８ａが設けられている。そして、バルコニー２７には洗面室２８から出入りできるようになっている。
【００２４】
前記居室２１の東側に隣接して大型のウォークインクローゼット３１が設けられており、このウォークインクローゼット３１の東側に隣接して居室３２が設けられている。ウォークインクローゼット３１には、居室２１および居室３２の双方から出入りできるようになっている。また、このウォークインクローゼット３１には、ホール３３からも出入りできるようになっている。
【００２５】
本実施の形態の建物によれば、キッチン４で生じる音の一部は吹抜け空間２から上方に伝わる。
また、仕切壁１０の横には開口部１２が設けられており、この開口部１２を通して吹抜け空間２と居室３とを行き来でき、また、吹抜け空間２とキッチン４とは仕切られていないので、吹抜け空間２とキッチン４とを行き来できる。したがって、キッチン４から吹抜け空間２を通って居室３に行き来できる。
【００２６】
さらに、吹抜け空間２は外壁に面しており、この外壁には２階において居室２０，２１の高さとほぼ等しい縦長の大窓２５が設けられているので、この大窓２５から吹抜け空間２に採光することができる。したがって、日中は吹抜け空間全体を明るくすることができる。また、この吹抜け空間２に採光した光は、１階のキッチン４や居室３にも届くので、これらキッチン４、居室３を明るくすることができる。
【符号の説明】
【００２７】
１  建物本体
２  吹抜け空間
３  居室
４  キッチン
１０  仕切壁
１１  直階段
１５  掃出し窓（窓）
２０，２１  居室
２２，２３   ２階仕切壁
２５  大窓
【図１】
0005795011.tif 000002
【図２】
0005795011.tif 000003
【図３】
0005795011.tif 000004
【図４】
0005795011.tif 000005